(57)【要約】【課題】Ｘ線撮影システムに用いられるタブレットＰＣ等のバッテリ駆動可能な情報処理装置において、省電力かつ高速起動を可能にする。【解決手段】スクリーンセーバ開始後さらに一定時間が経過すると、駆動方法検知部１０３によりバッテリ駆動であるか否かを判断し、ＡＣ駆動の場合、電源断のリスクが低いため省電力なスリープに遷移させる。バッテリ駆動の場合、バッテリ１０６の残量が十分であるか否かを判断し、バッテリ１０６の残量が少ない場合、電源断の危険性があるため休止状態に遷移させる。バッテリ１０６の残量が十分である場合、検査情報有無判定部１０２での検査情報がない場合、スリープに遷移させ、一定時間Ｍの経過後、休止状態に遷移させる一方、検査情報がある場合、スリープに遷移させ、一定時間Ｎ（＞Ｍ）の経過後、休止状態に遷移させる。【選択図】図１
2013182389.tif 000002
【特許請求の範囲】
【請求項１】
Ｘ線撮影システムに用いられる情報処理装置であって、
前記情報処理装置がバッテリ駆動しているか、外部電源駆動をしているかを検知する駆動方法検知手段と、
前記Ｘ線撮影システムの検査情報の有無を検知する検査情報有無判定手段と、
前記駆動方法検知手段及び前記検査情報有無判定手段の検知情報に基づいて、省電力モードへ遷移する省電力モード遷移手段とを備えたことを特徴とする情報処理装置。
【請求項２】
前記省電力モード遷移手段は、前記駆動方法検知手段及び前記検査情報有無判定手段からの検知情報に基づいて、第一の省電力モードか、第二の省電力モードかに遷移させることを特徴とする請求項１に記載の情報処理装置。
【請求項３】
前記省電力モード遷移手段は、前記駆動方法検知手段で外部電源駆動をしていることを検知した場合、前記第一の省電力モードに遷移させることを特徴とする請求項２に記載の情報処理装置。
【請求項４】
前記省電力モード遷移手段は、前記駆動方法検知手段でバッテリ駆動をしていることを検知し、かつ、バッテリの残量が少ないとき、前記第二の省電力モードに遷移させることを特徴とする請求項２又は３に記載の情報処理装置。
【請求項５】
前記省電力モード遷移手段は、前記検査情報有無判定手段で検査情報がない場合、前記第一の省電力モードに遷移させ、所定の時間の経過後、前記第二の省電力モードに遷移させ、
前記検査情報有無判定手段で検査情報がある場合、前記第一の省電力モードに遷移させ、前記所定の時間よりも長い時間の経過後、前記第二の省電力モードに遷移させることを特徴とする請求項２乃至４のいずれか１項に記載の情報処理装置。
【請求項６】
前記省電力モード遷移手段は、前記検査情報有無判定手段で検査がない場合、前記第二の省電力モードに遷移し、
前記検査情報有無判定手段で検査情報がある場合、前記第一の省電力モードに遷移した後、前記第二の省電力モードに遷移することを特徴とする請求項２乃至４のいずれか１項に記載の情報処理装置。
【請求項７】
前記省電力モード遷移手段は、前記駆動方法検知手段でバッテリ駆動をしていることを検知し、かつ、バッテリの残量が十分であるとき、前記検査情報有無判定手段からの検知情報に基づいて、省電力モードへ遷移することを特徴とする請求項５又は６に記載の情報処理装置。
【請求項８】
前記第一の省電力モードはデータをメモリに保存するスリープであり、前記第二の省電力モードはデータをハードディスクに保存する休止状態であることを特徴とする請求項２乃至７のいずれか１項に記載の情報処理装置。
【請求項９】
Ｘ線撮影システムに用いられる情報処理装置の制御方法であって、
前記情報処理装置がバッテリ駆動しているか、外部電源駆動をしているかを検知する駆動方法検知ステップと、
前記Ｘ線撮影システムの検査情報の有無を検知する検査情報有無判定ステップと、
前記駆動方法検知ステップ及び前記検査情報有無判定ステップでの検知情報に基づいて、省電力モードへ遷移する省電力モード遷移ステップとを有することを特徴とする情報処理装置の制御方法。
【請求項１０】
Ｘ線撮影システムに用いられる情報処理装置を制御するためのプログラムであって、
前記情報処理装置がバッテリ駆動しているか、外部電源駆動をしているかを検知する駆動方法検知手段と、
前記Ｘ線撮影システムの検査情報の有無を検知する検査情報有無判定手段と、
前記駆動方法検知手段及び前記検査情報有無判定手段の検知情報に基づいて、省電力モードへ遷移する省電力モード遷移手段としてコンピュータに機能させるためのプログラム。
【発明の詳細な説明】
【技術分野】
【０００１】
本発明は、Ｘ線撮影システムに用いられるバッテリ駆動可能な情報処理装置、その制御方法及びプログラムに関する。
【背景技術】
【０００２】
従来、病院で発生する患者の医用画像情報をデジタル化して保存、伝送することにより、検査の効率化、迅速化を図ろうとする気運が高まりつつある。このため、Ｘ線撮影の分野においても、これまでのスクリーン／フィルム系に代わり、ＦＰＤ（Flat Panel Detector）等のＸ線検出器を利用したデジタルデータを出力するデジタルシステムが多く用いられるようになってきた。Ｘ線検出器に無線通信機能が設けられるようなケースも増えている。
このような無線通信機能を有するＸ線検出器と共にタブレットＰＣ等のバッテリ駆動可能なＰＣ（パーソナルコンピュータ）を用いて無線通信を行い、オールワイヤレスなシステムが構築されてきている。
【０００３】
バッテリ駆動可能なＰＣでは、バッテリ駆動のため、省電力が重要になる。省電力対応のため、従来のデスクトップＰＣでは、ＯＳが提供している電源管理を利用し、一定時間後にスリープ（スタンバイ）に遷移させるのが通常である。一方、タブレットＰＣ等のモバイルＰＣでは、スリープを利用してしまうと、メモリにしかデータが保存されない。そのため、バッテリ切れの場合はデータを喪失してしまうという問題があり、通常はスリープ後一定時間が経過するとＨＤＤにデータ保存する休止状態（ハイバネーション）に遷移させるような運用がされている。
【０００４】
先行技術として、例えば特許文献１には、Ｘ線撮影システムではないが、放送番組データを受信する受信装置を備えた情報処理装置において、動作ステートから、動作ステートよりも少ない電力を消費する第１スリープステート、および第１スリープステートよりも少ない電力を消費し且つ第１スリープステートよりも動作ステートへの復帰のために費やされる時間が長い第２スリープステートに遷移する構成が開示されている。そして、ＴＶチューナによって受信される放送番組データを再生するＴＶアプリケーションプログラムが起動されると、第２スリープステートに遷移するのを禁止する構成が開示されている。
【先行技術文献】
【特許文献】
【０００５】
【特許文献１】特開２００７−２６４９５３号公報
【発明の概要】
【発明が解決しようとする課題】
【０００６】
上記したモバイルＰＣの運用方法では、休止状態に遷移させると、起動時間が遅くなるといった問題があった。モバイルＰＣ運用では、省電力と共に起動時間の高速化は重要な課題である。
【０００７】
本発明は上記のような点に鑑みてなされたものであり、Ｘ線撮影システムに用いられるバッテリ駆動可能な情報処理装置において、省電力かつ高速起動を可能にすることを目的とする。
【課題を解決するための手段】
【０００８】
本発明の情報処理装置は、Ｘ線撮影システムに用いられる情報処理装置であって、前記情報処理装置がバッテリ駆動しているか、外部電源駆動をしているかを検知する駆動方法検知手段と、前記Ｘ線撮影システムの検査情報の有無を検知する検査情報有無判定手段と、前記駆動方法検知手段及び前記検査情報有無判定手段の検知情報に基づいて、省電力モードへ遷移する省電力モード遷移手段とを備えたことを特徴とする。
【発明の効果】
【０００９】
本発明によれば、Ｘ線撮影システムに用いられるタブレットＰＣ等のバッテリ駆動可能な情報処理装置において、省電力かつ高速起動が可能となる。
【図面の簡単な説明】
【００１０】
【図１】第１の実施形態に係るＸ線撮影システムに用いられる情報処理装置の構成を示すブロック図である。
【図２】第１の実施形態に係る情報処理装置の処理動作を示すフローチャートである。
【図３】第２の実施形態に係る情報処理装置の処理動作を示すフローチャートである。
【発明を実施するための形態】
【００１１】
以下、添付図面を参照して、本発明の好適な実施形態について説明する。
（第１の実施形態）
図１は、本実施形態に係るＸ線撮影システムに用いられる情報処理装置の構成を示すブロック図である。この情報処理装置は、タブレットＰＣ等のようにＡＣ電源駆動及びバッテリ駆動可能なＰＣ（パーソナルコンピュータ）により構成される。
１０１は検査情報取得部であり、Ｘ線撮影システムを構成するＦＰＤ（Flat Panel Detector）等のＸ線検出器２００で実施する予定の検査の検査情報を、外部の検査指示装置から、例えば無線通信機能によりデジタルデータとして取得する。検査情報は、例えば胸部撮影、腹部撮影等の実施予定の検査が患者ごとに管理されている情報である。
１０２は検査情報有無判定部であり、検査情報取得部１０１で取得した検査情報の有無を検知する。例えば保留中の検査や実施していない検査があるか否か、もしくは検査中であるか検査中でないかで検査情報の有無を判断する。
１０３は駆動方法検知部であり、自機がバッテリ１０６による駆動か、ＡＣ電源１０７による駆動かをＯＳ部１０５経由で検知する。
１０４は省電力モード遷移部であり、検査情報有無判定部１０２及び駆動方法検知部１０３からの検知情報に基づいて、ＯＳ部１０５を経由して電源設定部１０８に省電力モードの指示を出し、省電力モードに遷移させる。
１０５はＯＳ（Operating System）部であり、基本的な機能を提供し、コンピュータシステム全体を制御、管理する。
１０６はバッテリ、１０７は外部から電源が供給されるＡＣ電源である。
１０８は電源設定部であり、電源をバッテリ１０６とするか、ＡＣ電源１０７とするかを設定する。
【００１２】
図２に、本実施形態に係る情報処理装置の処理動作を示す。情報処理装置において操作がなく、一定時間が経過すると（ステップＳ２０１）、スクリーンセーバを開始する（ステップＳ２０２）。スクリーンセーバ中は、検査情報取得部１０１での検査情報の取得が可能である。
【００１３】
スクリーンセーバ開始後さらに一定時間が経過すると（ステップＳ２０３）、駆動方法検知部１０３によりバッテリ駆動であるか否かを判断する（ステップＳ２０４）。その結果、ＡＣ駆動の場合、電源断のリスクが低いことから、省電力モード遷移部１０４により第一の省電力モードであるスリープに遷移させる（ステップＳ２０５）。スリープでは、メモリにデータを残して高速起動が可能である。
【００１４】
ステップＳ２０４においてバッテリ駆動の場合、バッテリ１０６の残量が十分であるか否かを判断する（ステップＳ２０６）。その結果、バッテリ１０６の残量が少ない、すなわちバッテリ１０６の残量が所定の閾値以下であると判断した場合、電源断の危険性があることから、省電力モード遷移部１０４により第二の省電力モードである休止状態に遷移させる（ステップＳ２０７）。休止状態では、スリープよりも起動に時間がかかるが、データをハードディスクに保存するため安全であり、スリープよりもさらに省電力である。
【００１５】
ステップＳ２０６においてバッテリ１０６の残量が十分である、すなわちバッテリ１０６の残量が所定の閾値を超えていると判断した場合、検査情報有無判定部１０２により検査情報の有無を判断する（ステップＳ２０８）。検査情報の有無は、保留中の検査や実施していない検査があるか否か、もしくは検査中であるか検査中でないかで判断する（ステップＳ２０８）。
【００１６】
ステップＳ２０８において検査情報がないと判断した場合、省電力モード遷移部１０４によりスリープに遷移させ（ステップＳ２１２）、一定時間Ｍの経過後（ステップＳ２１３）、休止状態に遷移させる（ステップＳ２１４）。
一方、ステップＳ２０８において検査情報があると判断した場合、省電力モード遷移部１０４によりスリープに遷移させ（ステップＳ２０９）、一定時間Ｎの経過後（ステップＳ２１０）、休止状態に遷移させる（ステップＳ２１１）。
ここで、検査情報がある場合の一定時間Ｎは、検査情報がない場合の一定時間Ｍよりも長いものとする。これは、検査情報がある場合は、検査が再開される可能性が非常に高く、すぐ元に戻れるようにできるだけ長い間スリープで待機するのが好ましいからである。一方、検査情報がない場合は、検査が実施される可能性が低く、起動に時間がかかるが、安全でより省電力な休止状態へ素早く移行させるのが好ましいからである。
なお、本シーケンス内においてマウスやキーボード等のインターフェイス等による操作が場合、即スタートへ戻るものとする。
【００１７】
（第２の実施形態）
次に、第２の実施形態について説明する。なお、Ｘ線撮影システムに用いられる情報処理装置の構成は第１の実施形態と同様であり、ここではその説明を省略する。
図３に、本実施形態に係る情報処理装置の処理動作を示す。ステップＳ３０１〜Ｓ３１１は、図２のステップＳ２０１〜Ｓ２１１と同様である。第１の実施形態と異なる点は、ステップＳ３０８において検査情報がないと判断した場合、スリープを介さずに直接休止状態に遷移させるようにしたことである（ステップＳ３１４）。すなわち、図２のフローチャートにおいてＭ＝０としたものとなっている。
【００１８】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００１９】
１０１：検査情報取得部、１０２：検査情報有無判定部、１０３：駆動方法検知部、１０４：省電力モード遷移部、１０５：ＯＳ部、１０６：バッテリ、１０７：ＡＣ電源、１０８：電源設定部
【図１】
2013182389.tif 000003
【図２】
2013182389.tif 000004
【図３】
2013182389.tif 000005